(57)【要約】      （修正有）【課題】光ディスク装置において、対物レンズ駆動時の動作音を減らし録音用マイクへの飛び込みを抑えて再生時の音質を改善できる技術の提供。【解決手段】光ピックアップの構成として、トラッキングコイル１０５及びフォーカスコイル１０４に磁界を印加するためのマグネット１０６を固定するマグネット固定部材１０７を、弾性部材１１３を介して対物レンズ１０２の光軸からずれた位置に片持ち支持し、かつ、光ピックアップ内部を保護する上カバー１１９または下カバーのいずれか一方または両方に、対物レンズ駆動時の動作音による共鳴を開放により抑えられる開口部１２０を設ける。【選択図】  図１
2004152362.tif 000002
【特許請求の範囲】
【請求項１】
ディスク状記録媒体の情報記録面に対し対物レンズを介し信号光の照射または受光を行う光ピックアップにおいて、
上記対物レンズを保持するレンズホルダと、
該レンズホルダ側に設けたトラッキングコイル及びフォーカスコイルに磁界を印加するマグネットと、
該マグネットを固定するマグネット固定部材と、
弾性部材を介し該マグネット固定部材を、上記対物レンズの光軸からずれた位置で支持するユニットベースと、
該ユニットベースを支持する筐体と、
該筐体の、ディスク状記録媒体に対向する面側に取付けられ、上記対物レンズ、上記マグネット及び上記マグネット固定部材を含む平面領域に対向する部分が開口部とされた上カバーと、
を備えた構成を特徴とする光ピックアップ。
【請求項２】
ディスク状記録媒体の情報記録面に対し対物レンズを介し信号光の照射または受光を行う光ピックアップにおいて、
上記対物レンズを保持するレンズホルダと、
該レンズホルダ側に設けたトラッキングコイル及びフォーカスコイルに磁界を印加するマグネットと、
該マグネットを固定するマグネット固定部材と、
弾性部材を介して該マグネット固定部材を、上記対物レンズの光軸からずれた位置で支持するユニットベースと、
該ユニットベースを支持する筐体と、
該筐体の底面側に取付けられ、上記ユニットベースに対向する部分に開口部が形成された下カバーと、
を備えた構成を特徴とする光ピックアップ。
【請求項３】
ディスク状記録媒体の情報記録面に対し対物レンズを介し信号光の照射または受光を行う光ピックアップにおいて、
上記対物レンズを保持するレンズホルダと、
該レンズホルダ側に設けたトラッキングコイル及びフォーカスコイルに磁界を印加するマグネットと、
該マグネットを固定するマグネット固定部材と、
弾性部材を介して該マグネット固定部材を、上記対物レンズの光軸からずれた位置で支持するユニットベースと、
該ユニットベースを支持する筐体と、
該筐体の、ディスク状記録媒体に対向する面側に取付けられ、上記対物レンズ、上記マグネット及び上記マグネット固定部材を含む平面領域に対向する部分が開口部とされた上カバーと、
該筐体の底面側に取付けられ、上記ユニットベースに対向する部分に開口部が形成された下カバーと、
を備えた構成を特徴とする光ピックアップ。
【請求項４】
ディスク状記録媒体の情報記録面に対し光ピックアップで情報の記録または再生を行う光ディスク装置において、
対物レンズを保持するレンズホルダと、該レンズホルダ側に設けたトラッキングコイル及びフォーカスコイルに磁界を印加するマグネットと、該マグネットを固定するマグネット固定部材と、弾性部材を介して該マグネット固定部材を上記対物レンズの光軸からずれた位置で支持するユニットベースと、該ユニットベースを支持する筐体と、該筐体の、ディスク状記録媒体に対向する面側に取付けられ、上記対物レンズ、上記マグネット及び上記マグネット固定部材を含む平面領域に対向する部分が開口部とされた上カバーとを備えた光ピックアップと、
該光ピックアップを上記ディスク状記録媒体の半径方向に移動させる光ピックアップ送り機構と、
上記ディスク状記録媒体を回転駆動するディスクモータと、
少なくとも上記光ピックアップ、上記光ピックアップ送り機構及び上記ディスクモータを駆動または制御する回路と、
を備えた構成を特徴とする光ディスク装置。
【請求項５】
ディスク状記録媒体の情報記録面に対し光ピックアップで情報の記録または再生を行う光ディスク装置において、
対物レンズを保持するレンズホルダと、該レンズホルダ側に設けたトラッキングコイル及びフォーカスコイルに磁界を印加するマグネットと、該マグネットを固定するマグネット固定部材と、弾性部材を介し該マグネット固定部材を上記対物レンズの光軸からずれた位置で支持するユニットベースと、該ユニットベースを支持する筐体と、該筐体の、ディスク状記録媒体に対向する面側に取付けられ、上記対物レンズ、上記マグネット及び上記マグネット固定部材を含む平面領域に対向する部分が開口部とされた上カバーと、該筐体の底面側に取付けられ、上記ユニットベースに対向する部分に開口部が形成された下カバーとを備えた光ピックアップと、
該光ピックアップを上記ディスク状記録媒体の半径方向に移動させる光ピックアップ送り機構と、
上記ディスク状記録媒体を回転駆動するディスクモータと、
少なくとも上記光ピックアップ、上記光ピックアップ送り機構及び上記ディスクモータを駆動または制御する回路と、
を備えた構成を特徴とする光ディスク装置。
【発明の詳細な説明】
【０００１】
【発明の属する技術分野】
本発明は、ディスク状記録媒体に対し信号光の照射または受光を行う光ピックアップに関する。
【０００２】
【従来の技術】
ＤＶＤ等の光ディスク装置は現在、外部情報記憶装置としてパソコン等に、あるいはＶＴＲに替わるレコーダとしてＡＶ機器に接続されて使用されている。該光ディスク装置にはディスク状記録媒体に対向して光ピックアップが配置され、レーザ光を集光した光スポットを、上記ディスク状記録媒体の情報記録面に照射することにより、信号の記録または再生を行うようになっている。光ピックアップの内部には、レーザ光源部、レーザ光をディスク状記録媒体に照射するプリズムや対物レンズ等の光学素子、光ディスクからの反射光を検出して電気信号に変換する光検出部、光スポットの焦点を常にディスク記録媒体面の目標位置に制御するための対物レンズ駆動部等が搭載されている。対物レンズ駆動部は、回転するディスク状記録媒体の面振れ量に応じて対物レンズを光軸方向に微小駆動させるとともに、トラック位置ずれ量に応じて対物レンズをディスク状記録媒体のトラック方向に微小駆動させる。該対物レンズ駆動部に関連する従来技術としては、光ピックアップを安定に動作させるための技術が、例えば、特開平４−３２０３５号公報（特許文献１）や特開昭６２−１４５５４１公報（特許文献２）に記載されている。特開平４−３２０３５号公報には、対物レンズ部の周波数特性を安定化させる技術が記載され、特開昭６２−１４５５４１公報には、動作時に発生する対物レンズの傾きを抑制する技術が記載されている。
【０００３】
【特許文献１】
特開平４−３２０３５号公報
【特許文献２】
特開昭６２−１４５５４１公報
【０００４】
【発明が解決しようとする課題】
外部音声を録音するためのマイクを内蔵した新しいタイプの光ディスク装置として例えば、デジタル動画・静止画映像を撮影可能な可搬型の光ディスクカメラ装置（ディスク状記録媒体として例えばＤＶＤ−ＲＡＭを使用）が提案されている。該光ディスクカメラ装置では、ケース内部に撮像系、録音用マイク、光ディスクドライブ、信号処理回路等のコンポーネントが実装され、装置全体をコンパクトにするため光ディスクドライブの近くに録音用マイクが配置される。該光ディスクドライブの動作では、（１）録音用マイクに、数ｋＨｚ〜１０ｋＨｚの周波数帯域にピークを有する対物レンズ駆動部の動作音が飛び込み、再生音質を劣化させることがある。（２）該動作音がケースから漏れ、耳障りとなる。上記特開平４−３２０３５号公報記載の技術や特開昭６２−１４５５４１公報記載の技術はいずれも、光ピックアップを安定に動作させるための技術であり、該動作音を軽減するための技術ではない。
本発明の課題点は、上記従来技術の状況に鑑み、光ディスク装置、特に録音用マイクを内蔵した光ディスク装置において、対物レンズ駆動時の動作音を減らして録音用マイクへの飛び込みを抑え、再生時の音質を改善できるようにすることである。
本発明の目的は、かかる課題点を解決できる技術の提供にある。
【０００５】
【課題を解決するための手段】
上記課題点を解決するため、本発明では、基本的に、光ピックアップの構成として、トラッキングコイル及びフォーカスコイルに磁界を印加するためのマグネット（該当実施例：符号１０６）を固定するマグネット固定部材（該当実施例：符号１０７）を、弾性部材（該当実施例：符号１１３）を介して対物レンズ（該当実施例：符号１０２）の光軸からずれた位置に片持ち支持し、かつ、筐体に取付けて光ピックアップ内部を保護する上カバー（該当実施例：符号１１９、５０１）または下カバー（該当実施例：符号６０１）のいずれか一方または両方に開口部（該当実施例：符号１２０、６０３）を設ける。該開口部は、対物レンズ駆動時の動作音による共鳴を開放により抑えることを可能にする。具体的には、光ピックアップとして、（１）対物レンズを保持するレンズホルダ（該当実施例：符号１０３）と、該レンズホルダ側に設けたトラッキングコイル（該当実施例：符号１０５）及びフォーカスコイル（該当実施例：符号１０４）に磁界を印加するマグネット（該当実施例：符号１０６）と、該マグネットを固定するマグネット固定部材（該当実施例：符号１０７）と、弾性部材（該当実施例：符号１１３）を介して該マグネット固定部材を、上記対物レンズの光軸からずれた位置で支持するユニットベース（該当実施例：符号１１２）と、該ユニットベースを支持する筐体（該当実施例：符号１１５）と、該筐体の、ディスク状記録媒体に対向する面側に取付けられ、上記対物レンズ、上記マグネット及び上記マグネット固定部材を含む平面領域に対向する部分が開口部（該当実施例：符号１２０）とされた上カバー（該当実施例：符号１１９、５０１）とを備えた構成とする。（２）対物レンズを保持するレンズホルダ（該当実施例：符号１０３）と、該レンズホルダ側に設けたトラッキングコイル（該当実施例：符号１０５）及びフォーカスコイル（該当実施例：符号１０４）に磁界を印加するマグネット（該当実施例：符号１０６）と、該マグネットを固定するマグネット固定部材（該当実施例：符号１０７）と、弾性部材（該当実施例：符号１１３）を介して該マグネット固定部材を、上記対物レンズの光軸からずれた位置で支持するユニットベース（該当実施例：符号１１２）と、該ユニットベースを支持する筐体（該当実施例：符号１１５）と、該筐体の底面側に取付けられ、上記ユニットベースに対向する部分に開口部（該当実施例：符号６０３）が形成された下カバー（該当実施例：符号６０１）とを備えた構成とする。（３）対物レンズを保持するレンズホルダ（該当実施例：符号１０３）と、該レンズホルダ側に設けたトラッキングコイル（該当実施例：符号１０５）及びフォーカスコイル（該当実施例：符号１０４）に磁界を印加するマグネット（該当実施例：符号１０６）と、該マグネットを固定するマグネット固定部材（該当実施例：符号１０７）と、弾性部材（該当実施例：符号１１３）を介して該マグネット固定部材を、上記対物レンズの光軸からずれた位置で支持するユニットベース（該当実施例：符号１１２）と、該ユニットベースを支持する筐体（該当実施例：符号１１５）と、該筐体の、ディスク状記録媒体に対向する面側に取付けられ、上記対物レンズ、上記マグネット及び上記マグネット固定部材を含む平面領域に対向する部分が開口部（該当実施例：符号１２０）とされた上カバー（該当実施例：符号１１９、５０１）と、該筐体の底面側に取付けられ、上記ユニットベースに対向する部分に開口部（該当実施例：符号６０３）が形成された下カバー（該当実施例：符号６０１）とを備えた構成とする。また、ディスク状記録媒体の情報記録面に対し光ピックアップで情報の記録または再生を行う光ディスク装置として、（４）対物レンズを保持するレンズホルダと、該レンズホルダ側に設けたトラッキングコイル及びフォーカスコイルに磁界を印加するマグネットと、該マグネットを固定するマグネット固定部材と、弾性部材を介して該マグネット固定部材を上記対物レンズの光軸からずれた位置で支持するユニットベースと、該ユニットベースを支持する筐体と、該筐体の、ディスク状記録媒体に対向する面側に取付けられ、上記対物レンズ、上記マグネット及び上記マグネット固定部材を含む平面領域に対向する部分が開口部とされた上カバーとを備えた光ピックアップと、該光ピックアップを上記ディスク状記録媒体の半径方向に移動させる光ピックアップ送り機構と、上記ディスク状記録媒体を回転駆動するディスクモータと、少なくとも上記光ピックアップ、上記光ピックアップ送り機構及び上記ディスクモータを駆動または制御する回路とを備えた構成とする。（５）光ディスク装置として、対物レンズを保持するレンズホルダと、該レンズホルダ側に設けたトラッキングコイル及びフォーカスコイルに磁界を印加するマグネットと、該マグネットを固定するマグネット固定部材と、弾性部材を介し該マグネット固定部材を上記対物レンズの光軸からずれた位置で支持するユニットベースと、該ユニットベースを支持する筐体と、該筐体の、ディスク状記録媒体に対向する面側に取付けられ、上記対物レンズ、上記マグネット及び上記マグネット固定部材を含む平面領域に対向する部分が開口部とされた上カバーと、該筐体の底面側に取付けられ、上記ユニットベースに対向する部分に開口部が形成された下カバーとを備えた光ピックアップと、該光ピックアップを上記ディスク状記録媒体の半径方向に移動させる光ピックアップ送り機構と、上記ディスク状記録媒体を回転駆動するディスクモータと、少なくとも上記光ピックアップ、上記光ピックアップ送り機構及び上記ディスクモータを駆動または制御する回路とを備えた構成とする。
【０００６】
【発明の実施の形態】
以下、本発明の実施例につき、図面を用いて説明する。
図１、図２は、本発明の第１の実施例としての光ピックアップの構成例図である。図１は上面図（（ａ））と側面の断面図（（ｂ））、図２は側面図である。
図１、図２において、１０１は、光ビームを反射して光路を立上げる立上げミラー、１０２は対物レンズ、１０３は、対物レンズ１０２を保持するレンズホルダ、１０４はフォーカスコイル、１０５はトラッキングコイル、１０６は、フォーカスコイル１０４及びトラッキングコイル１０５に磁界を印加するためのマグネット、１０７は、マグネット１０６を固定するマグネット固定部材、１０８は、レンズホルダ１０３を弾性的に支持するサスペンション部材、１０９は、サスペンション部材１０８を保持するサスペンションホルダ、１１０は、サスペンション部材の端部がはんだ付け等により取付けられる接続基板、１１１は接着部材、１１２は、接続基板１１０が接着部材により固定されるユニットベース、１１３は、一方の端部がマグネット固定部材１０７に結合された板状の弾性部材である。弾性部材１１３の他方の端部は上記ユニットベース１１２に固定され、該ユニットベース１１２は、該弾性部材を介しマグネット固定部材１０７を、上記対物レンズ１０２の光軸位置に対しずれた位置で図のＺ方向に弾性支持するようになっている。１１４は接着部材、１１５は、接着部材１１４により固定されたユニットベース１１２を支持する筐体、１１６は対物レンズ１０２の光軸、１１７は、弾性部材１１３がマグネット固定部材１０７に固定される連結部、１１８は、弾性部材１１３がユニットベース１１２に固定される連結部、１１９は、筐体１１５に固定され該筐体１１５の上方側において対物レンズ１０２、マグネット１０６、マグネット固定部材１０７等を保護する上カバー、１２０は、上カバー１１９上において、対物レンズ１０２、マグネット１０６、マグネット固定部材１０７を含む平面領域に対向する部分に設けられた開口部である。フォーカスコイル１０４及びトラッキングコイル１０５は、レンズホルダ１０３の側面部に取付けられている。マグネット固定部材１０７は、本実施例の場合、Ｙ方向から見て略凹字状に鉄材等の磁性材料で構成されている。また、上記開口部１２０は、本実施例の場合は略矩形の形状とされ、図のＺ軸方向から見て、対物レンズ１０２、マグネット１０６、マグネット固定部材１０７のうちマグネット１０６が取付けられる部分（図のＺ方向に立上がった部分）、レンズホルダ１０３の一部、フォーカスコイル１０４の一部、トラッキングコイル１０５の一部が露出する大きさとなっている。上カバー１１９は、図の−Ｚ方向に曲げられた曲げ部１２１を有しており、この曲げ部１２１により筐体１１５に対し側方から固定される。筐体１１５はアルミダイキャスト等により製作される。マグネット１０６はマグネット固定部材１０７に対し接着等により固定される。サスペンション部材１０８は４本の線状の弾性部材から成り、レンズホルダ１０３の両側で該レンズホルダ１０３を支持する。ユニットベース１１２は、Ｘ方向から見て略凹字状の形状を有し、サスペンションホルダ１０９は両側面部で、ユニットベース１１２の該略凹字状部の内側側面部に固定される。かかる構成において、情報記録時には、レーザ光源（図示なし）から出射し、コリメートレンズ等の光学部品（図示なし）を通過した光信号としての光ビームは立上げミラー１０１により図のＺ方向に曲げられた後、対物レンズ１０２に入射し、この対物レンズ１０２に対してＺ方向に所定の距離を隔てて対向するディスク状記録媒体（図示なし）の情報記録面に集光され、情報が記録される。また、情報再生時には、情報記録面で反射した光信号としての光ビームは対物レンズ１０２、立上げミラー１０１を通過し、光検出器（図示なし）に入射して電気信号に変換され、ディスク状記録媒体の情報が再生される。上記情報記録時及び情報再生時においては、対物レンズ１０２は、マグネット１０６による磁界中でトラッキングコイル１０５、フォーカスコイル１０４に制御電流が通電されることにより発生する電磁力で、レンズホルダ１０３を介し駆動され、トラッキング動作及びフォーカシング動作を行う。該対物レンズ駆動を行う駆動系（対物レンズ駆動系）は、対物レンズ１０２、レンズホルダ１０３、レンズホルダ１０３を弾性支持する線状のサスペンション部材１０８、トラッキングコイル１０５、フォーカスコイル１０４、マグネット１０６、マグネット固定部材１０７、マグネット固定部材１０７を弾性支持する板状の弾性部材１１３を含めた部分により構成される。
【０００７】
上記第１の実施例構成によれば、マグネット固定部材１０７が、弾性部材１１３を介し上記対物レンズ１０２の光軸位置に対しずれた位置でユニットベース１１２に弾性支持される構成となっているため、対物レンズ２の駆動動作に起因する対物レンズ駆動系の振動や光ピックアップ全体の振動を低減化することができる。また、上カバー１１９には、対物レンズ１０２、マグネット１０６、マグネット固定部材１０７を含む平面領域に対向する部分に開口部１２０が設けられているため、対物レンズ駆動系における対物レンズ駆動時の該上カバー１１９に起因する共鳴をなくし、動作音を低減化することができる。特に、上カバー１１９から出て録音用マイク（図示なし）に飛び込む音のレベルを下げることができる。該動作音の低減化は、上記ユニットベース１１２と弾性部材１１３とによるマグネット固定部材１０７の偏心支持構成と、上記上カバー１１９の開口部１２０を備える構成との相乗的効果として得られる。また、対物レンズ駆動系の振動や光ピックアップ全体の振動の低減化によっては、対物レンズの振動を抑えられるため、トラッキングやフォーカシングの精度向上も可能となる。
【０００８】
図３は、本発明の第２の実施例としての光ピックアップの構成例を示す図である。（ａ）は光ピックアップの上面図、（ｂ）は側面図である。
本第２の実施例は、上カバー１１９と筐体１１５との間の空間にゴム等の緩衝部材３０１を挿入した場合の構成例である。上カバー１１９上には、上記第１の実施例の場合と同様、対物レンズ１０２、マグネット１０６、マグネット固定部材１０７を含む平面領域に対向する部分に開口部１２０を設ける。他の部分の構成も、上記第１の実施例の場合と同じである。
【０００９】
上記第２の実施例構成によれば、緩衝部材３０１により、筐体１１５側から上カバー１１９側に伝わる振動を低減することができるとともに、反対に上カバー１１９側から筐体１１５側に伝わる振動も低減することができる。この結果、対物レンズ駆動時の、光ピックアップ全体における振動の低減及び、サスペンション部材１０８とこれによって支持されたレンズホルダ１０３、対物レンズ１０２、トラッキングコイル１０５、フォーカスコイル１０４で形成される振動系における振動の低減が可能となる。振動の低減化により、対物レンズ駆動時の動作音も低減化される。他の基本的な作用・効果については、上記第１の実施例の場合と同じである。
【００１０】
図４は、本発明の第３の実施例としての光ピックアップの構成例を示す図である。（ａ）は光ピックアップの上面図、（ｂ）は側面図である。
本第３の実施例は、上カバー１１９の平面部に絞り部４０１を設けた場合の構成例である。該上カバー１１９上には、上記第１、第２の実施例の場合と同様、対物レンズ１０２、マグネット１０６、マグネット固定部材１０７を含む平面領域に対向する部分に開口部１２０を設ける。他の部分の構成も、上記第１の実施例の場合と同じである。上記第２の実施例と同様、上カバー１１９と筐体１１５との間の空間にはゴム等の緩衝部材３０１を挿入してもよい。
【００１１】
上記第３の実施例構成によれば、絞り部４０１により、上カバー１１９の剛性が増大し耐振動性能が向上する。このため、対物レンズ駆動時の上カバー１１９の振動を低減化することができる。振動の低減化により、上カバー１１９から発生する音も低減化される。他の基本的な作用・効果については、上記第１の実施例の場合と同じである。
【００１２】
図５は、本発明の第４の実施例としての光ピックアップの構成例を示す図である。（ａ）は光ピックアップの上面図、（ｂ）は側面図である。
本第４の実施例は、上カバーとして、ユニットベース１１２の左右側面と、該ユニットベース１１２の左右側面に配置された接着部材１１４と、該接着部材１１４と接する筐体１１５の側面とが、Ｚ方向から見て露出するように筐体１１５に取付けられる構造の上カバー５０１を設けた場合の構成例である。該上カバー５０１は、図の−Ｚ方向に曲げられた曲げ部５０２、５０３を有し、これらの曲げ部によって筐体１１５に対し側方から固定されるようになっている。該上カバー５０１上には、上記第１〜第３の実施例の場合と同様、対物レンズ１０２、マグネット１０６、マグネット固定部材１０７を含む平面領域に対向する部分に開口部１２０を設ける。他の部分の構成も、上記第１の実施例の場合と同じである。さらに加えて、上記第２の実施例のように、上カバー５０１と筐体１１５との間の空間にゴム等の緩衝部材３０１を挿入してもよいし、上記第３の実施例のように、上カバー５０１の平面部に絞り部４０１を設けてもよい。
【００１３】
上記第４の実施例構成によれば、上カバー５０１において、開口部１２０の他に開放された部分を有するため、対物レンズ駆動系における対物レンズ駆動時の該上カバー５０１に起因する共鳴をなくし、動作音をより一層低減化することができる。他の基本的な作用・効果については、上記第１の実施例の場合と同じである。緩衝部材３０１を組合せて用いる構成とした場合は、さらに、上記第２の実施例の場合と同様の作用・効果が得られ、平面部に絞り部４０１を組合せて用いる構成とした場合も、さらに、上記第３の実施例の場合と同様の作用・効果が得られる。
【００１４】
図６は、本発明の第５の実施例としての光ピックアップの構成例を示す図である。（ａ）は光ピックアップの上面図、（ｂ）は側面図である。
本第５の実施例は、筐体１１５の底面部に、ユニットベース１１２に対向する部分に開口部６０３が形成された下カバー６０１を設けた場合の構成例である。該下カバー６０１は、光ピックアップの放熱能力を高めることを主目的としたものである。筐体１１５にも、ユニットベース１１２の下方の、上記下カバー６０１の開口部６０３に対応した位置に開口部６０２が設ける。
【００１５】
上記第５の実施例構成によれば、上記下カバー６０１によって、対物レンズ駆動時の光ピックアップの放熱能力が高められる他、開口部６０３から、音が筐体１１５の底面方向の外部に逃がされるため、上カバー１１９側に向かう音の量を減らせる。上カバー１１９側に向かう音の量を減らすことにより、開口部１２０による作用・効果と併せ、対物レンズ駆動系における対物レンズ駆動時の該上カバー１１９に起因する共鳴をなくし、動作音を一層低減化することができる。他の基本的な作用・効果については、上記第１の実施例の場合と同じである。
【００１６】
図７は、本発明の第６の実施例としての光ピックアップの構成例を示す図である。（ａ）は光ピックアップの上面図、（ｂ）は側面図である。
本第６の実施例は、上記第５の実施例で説明した下カバー６０１の構造に加え、筐体１１５と下カバー６０１の間に空間を設け、該空間にゴム等の緩衝部材７０１を配した場合の構成例である。
【００１７】
上記第６の実施例構成によれば、上記第５の実施例における下カバー６０１による作用・効果に加え、緩衝部材７０１により、筐体１１５側から下カバー６０１側に伝わる振動を低減することができるとともに、反対に下カバー６０１側から筐体１１５側に伝わる振動も低減することができる。この結果、上記第２の実施例の場合と同様、対物レンズ駆動時の、光ピックアップ全体における振動の低減及び、サスペンション部材１０８とこれによって支持されたレンズホルダ１０３、対物レンズ１０２、トラッキングコイル１０５、フォーカスコイル１０４で形成される振動系における振動の低減が可能となる。振動の低減化により、対物レンズ駆動時の動作音も低減化される。他の基本的な作用・効果については、上記第１の実施例の場合と同じである。
【００１８】
図８は、本発明の第７の実施例としての光ディスク装置の構成例を示す図である。
図８において、８０１は例えば上記第１〜第６の実施例に示す光ピックアップ、８０２は、レーザ光源、コリメートレンズ（図示なし）、光検出器（図示なし）等から成る光学系の配置部、８０３はディスク状記録媒体を回転駆動するディスクモータ、８０４は光ディスク等のディスク状記録媒体、８０５はメカシャーシ、８０６は、光ピックアップ８０１の移動を案内する主軸ガイドバー、８０７は与圧部、８０８はリードスクリュー、８０９は、主軸ガイドバー８０６とともに光ピックアップ８０１の移動を案内する副軸ガイドバー、８１０は、リードスクリュー８０８を回転させるステッピングモータ等の送りモータである。上記光ピックアップ８０１は、ディスク状記録媒体８０４の下面に上記光ピックアップ８０１が配置されている。ディスクモータ８０３はメカシャーシ８０５に固定されている。光ピックアップ８０１は一端に主軸ガイドバー８０６が挿入され、与圧部８０７を介してリードスクリュー８０８と連結され、他端に副軸ガイドバー８０９が挿入された状態で保持されている。主軸ガイドバー８０６、副軸ガイドバー８０９はねじ等によりメカシャーシ８０５に固定されている。送りモータ８１０によってリードスクリュー８０８が駆動され、光ピックアップ８０１はディスク状記録媒体８０４の半径方向（同図のＲ方向）にアクセスする。なお、光ピックアップ８０１、ディスク状記録媒体８０４等の構成部品に近接して、外部からの音声を録音するための録音用マイクが配されている。また、光ピックアップ８０１、ディスクモータ８０３、送りモータ８１０などを駆動・制御するための電気回路も実装されている。かかる構成において、ディスクモータ８０３によりディスク状記録媒体８０４を所定の速度で回転駆動し、光ピックアップ８０１でディスク状記録媒体８０４の情報記録面に光信号を照射して所定の情報を記録または再生する。光ピックアップ８０１内では、対物レンズ駆動系による対物レンズのトラッキング動作とフォーカシング動作が行われる。
【００１９】
上記第７の実施例構成によれば、上記第１〜第６の実施例の説明で述べたように、対物レンズ駆動時の光ピックアップ８０１の振動や動作音を低減させることが可能なため、録音用マイクへの動作音の飛び込みを抑え、再生時に耳障りな動作音が聞こえないようにすることができる。また、対物レンズ駆動系の振動や光ピックアップ全体の振動も低減させて対物レンズの振動を抑えられるため、トラッキングやフォーカシングも精度良く行うことができる。
【００２０】
図９、図１０は、本発明の作用・効果についての説明図である。図９は、本発明の上記第１の実施例の光ピックアップ（図１、図２）を搭載した光ディスク装置において、トラッキング動作及びフォーカシング動作の対物レンズ駆動時に発生する動作音につき、録音用マイクの位置で実測した周波数特性例を示す図、図１０は、同対物レンズ駆動時の動作音が、本発明により低減されるメカニズムを説明する図である。
図９において、９０１は、本発明の構成になっていない光ピックアップを用いた場合の周波数特性、９０２は、本発明の光ピックアップを用いた場合の周波数特性である。周波数帯域５ｋＨｚ〜１０数ｋＨｚは、録音用マイクの周波数特性に重要かつ聴感上敏感な周波数帯域である。実測の結果、特性９０１は、周波数ｆ１とｆ２の間及び周波数ｆ３とｆ４の間において音圧レベルに極大点が発生し、許容値ライン９０３を超える。これに対し、特性９０２では、上記周波数ｆ１とｆ２の間及び周波数ｆ３とｆ４の間で発生していた上記音圧レベルの極大点のレベルも低減され、全体レベルも許容値ライン９０３未満に低減され、周波数特性が改善される。また、光ディスク装置のケースから外部に漏れる動作音についても、３〜３．５ｄＢＡ程度低減される。上記第２の実施例、第３の実施例及び第４の実施例の光ピックアップを用いた場合は、第１の実施例の光ピックアップを用いた場合の特性９０２よりもさらに一層音圧レベルが低減された特性となる。光ディスク装置のケースから外部に漏れる動作音も、第１の実施例の光ピックアップを用いた場合よりも、さらに１．５〜２ｄＢＡ程度低減される。また、上記第５の実施例、第６の実施例の光ピックアップを用いた場合にも、第１の実施例の光ピックアップを用いた場合の特性９０２よりもさらに一層音圧レベルが低減された特性となる。特に、周波数ｆ１とｆ２の間における音圧レベルの低減化が顕著となる。
【００２１】
図１０は、対物レンズ駆動時における動作音の低減メカニズムの説明図である。
図１０において、（ａ）は、従来の光ピックアップの場合、（ｂ）は本発明の光ピックアップの場合である。
図１０（ａ）において、トラッキング動作及びフォーカシング動作によって、レンズホルダ１１０１が駆動されると、この反力を受けてマグネット１１０４及びマグネット固定部材１１０６が微小振動する。マグネット１１０４、マグネット固定部材１１０６は、弾性部材１１０５によって弾性支持されているため、該マグネット固定部材１１０６と連結されている筐体１１１３に伝達される振動エネルギーは抑制される。このため、筐体１１１３全体から発生する動作音は抑制された状態となる。しかしながら、マグネット１１０４、マグネット固定部材１１０６及びユニットベース１１１０では、微小振動の振動エネルギーが蓄積され、筐体１１１３全体から発生する振動エネルギーに比べて大きくなる。マグネット１１０４及びマグネット固定部材１１０６の真上（＋Ｚ方向）にはこれらを上から覆うようにして、上カバー１３０１が筐体１１１３に取付けられ、マグネット１１０４及びマグネット固定部材１１０６と上カバー１３０１との間には、高さ０．５〜１×１０−３ｍ程度の隙間１００１が存在している。このため、マグネット１１０４及びマグネット固定部材１１０６から出た動作音１００２は、上カバー１３０１の内面側で反射されて、マグネット固定部材１１０６、マグネット１１０４側に戻り、反射する。この間にもマグネット固定部材１１０６、マグネット１１０４では微小振動が連続的に発生している。この状態が繰り返される（矢印１００３に示す）と、結果として、上カバー１３０１からは当初マグネット１１０４及びマグネット固定部材１１０６から出ていた動作音１００２を基に、より大きな増幅された動作音１００４が発生する。また、ユニットベース１１１０の真下（−Ｚ方向）には、このユニットベース１１１０を覆うようにして、下カバー１３０２が筐体１１１３の下面に接して取付けられており、ユニットベース１１１０と下カバー１３０２の間には高さ０．５〜１×１０−３ｍ程度の隙間１００５が存在する。このため、ユニットベース１１１０から出た動作音１００６は、筐体１１１３と下カバー１３０２で反射され、ユニットベース１１１０に向かって戻り、反射する。この間にもユニットベース１１１０では微小振動が連続的に発生する。この状態が繰り返される（矢印１００７に示す）と、結果として、下カバー１３０２からは当初ユニットベース１１１０から出ていた動作音１００６に基づき、より大きな増幅された動作音１００８が発生する。構造上、上カバー１３０１、下カバー１３０２は５ｋＨｚ〜１０数ｋＨｚの間に固有振動数が多数存在するという性質を有するため、上カバー１３０１、下カバー１３０２から、増幅された動作音１００４、１００８が発生すると、近接して配置された録音用マイク１００９に向かってノイズとして飛込み、このノイズの周波数成分は、図９の特性９０１のように５ｋＨｚ〜１０数ｋＨｚ帯域で極大点を有する特性となる。この周波数帯域は特に聴感上敏感な帯域であるため、再生音質が劣化することになる。
【００２２】
一方、図１０（ｂ）においては、上カバー１１９が、マグネット１０６、マグネット固定部材１０７の真上（＋Ｚ方向）の部分を避けるようにして筐体１１５に取付けられている。該上カバー１１９は、上方（＋Ｚ方向）から見て、マグネット１０６、マグネット固定部材１０７のうちマグネット１０６と接する部分（図のＺ方向に立上がった部分）が完全に露出する大きさの開口部１２０が設けられ、マグネット１０６、マグネット固定部材１０７の真上（＋Ｚ方向）が開放された状態になっている。このため、対物レンズ駆動時に、マグネット１０６、マグネット固定部材１０７で発生する動作音１０１０はそのほとんどが、矢印１０１１で示すように、上カバー１１９で遮られずに、上カバー１１９の開口部１２０から外部に抜けることになる。このため、上記（ａ）の場合とは異なり、当初、マグネット１０６、マグネット固定部材１０７で発生した動作音１０１０が上カバー１１９に反射して増幅される度合いは小さい。その結果、録音用マイク１００９に向かって飛込むノイズの周波数成分は、図９の特性９０２で示したように、５ｋＨｚ〜１０数ｋＨｚの帯域で低減される。この周波数帯域は、特に聴感上敏感な帯域であるため、特性９０２によって再生音質が向上する。上記第２の実施例（図３）に示すように、上カバー１１９と筐体１１５の間にゴム等の緩衝部材３０１を挿入すると、上カバー１１９で残っている微小振動がこれによって吸収され、動作音が低減される。また、上記第３の実施例（図４）に示すように、上カバー１１９の平面部に絞り部４０１を設けると、上カバー１１９自体の剛性が向上する。そのため、上カバー１１９での微小振動が高域側に移動するとともに、動作音のレベルがさらに低減される。さらに、上記第５の実施例（図６）、上記第６の実施例（図７）に示すように、下カバー６０１についてその一部に開口部６０３を設けた場合は、対物レンズ駆動時にユニットベース１１２で発生する微小振動に基づく動作音１０１２は、そのほとんどが矢印１０１３に示すように、筐体１１５底面の開口部６０２及び下カバー６０１の開口部６０３から抜ける。その結果、ユニットべース１１２で発生した動作音１０１０が下カバー６０１に反射して増幅される度合いも小さくなって、動作音は低減される。第６の実施例（図７）のように、さらに、下カバー６０１と筐体１１５の間にゴム等の緩衝部材７０１を挿入すると、対物レンズ駆動時の下カバー６０１の振動は、該緩衝部材７０１によって吸収され、動作音はさらに低減される。
【００２３】
本発明は、ＨＤ−ＤＶＤ、ＤＶＤ、ＣＤ等対応の光ピックアップ、またＨＤ−ＤＶＤとＤＶＤ、ＨＤ−ＤＶＤとＣＤ等の複合光ピックアップに対して適用可能である。また、カメラを搭載した携帯型の光ディスク装置や、据置型の光ディスク装置にも適用可能である。
【００２４】
【発明の効果】
本発明によれば、光ピックアップにおける対物レンズ駆動時の動作音の低減化と、例えば録音用マイクが実装された光ディスク装置における再生音質の改善が可能となる。
【図面の簡単な説明】
【図１】本発明の第１の実施例としての光ピックアップの構成例図である。
【図２】図１の構成の側面図である。
【図３】本発明の第２の実施例としての光ピックアップの構成例図である。
【図４】本発明の第３の実施例としての光ピックアップの構成例図である。
【図５】本発明の第４の実施例としての光ピックアップの構成例図である。
【図６】本発明の第５の実施例としての光ピックアップの構成例図である。
【図７】本発明の第６の実施例としての光ピックアップの構成例図である。
【図８】本発明の第７の実施例としての光ディスク装置の構成例図である。
【図９】本発明の光ピックアップを用いた場合の動作音の周波数特性の説明図である。
【図１０】対物レンズ駆動時における動作音低減メカニズムの説明図である。
【符号の説明】
１０１…立上げミラー、  １０２…対物レンズ、  １０３…レンズホルダ、  １０４…フォーカスコイル、  １０５…トラッキングコイル、  １０６…マグネット、  １０７…マグネット固定部材、  １０８…サスペンション部材、  １０９…サスペンションホルダ、  １１０…接続基板、  １１１、１１４…接着部材、  １１２…ユニットベース、  １１３…弾性部材、  １１５…筐体、  １１６…対物レンズの光軸、  １１７、１１８…連結部、  １１９、５０１…上カバー、  １２０、６０３…開口部、１２１…上カバーの曲げ部、  ３０１、７０１…緩衝部材、  ４０１…絞り部、  ６０１…下カバー、  ８０１…光ピックアップ、  ８０２…光学系の配置部、  ８０３…ディスクモータ、  ８０４…ディスク状記録媒体、  ８０５…メカシャーシ、  ８０６…主軸ガイドバー、  ８０８…リードスクリュー、  ８０９…副軸ガイドバー、  ８１０…送りモータ。
【図１】
2004152362.tif 000003
【図２】
2004152362.tif 000004
【図３】
2004152362.tif 000005
【図４】
2004152362.tif 000006
【図５】
2004152362.tif 000007
【図６】
2004152362.tif 000008
【図７】
2004152362.tif 000009
【図８】
2004152362.tif 000010
【図９】
2004152362.tif 000011
【図１０】
2004152362.tif 000012